(57)【要約】【課題】  モノクロ画像の印刷処理を行うときに、トンボやキャプション等が付加されているためにカラー印刷モードが実行されるのを防止する。【解決手段】  プリントサーバ１２の付加オブジェクト判定部５０は、画像データにアプリケーション３２等が付加した付加オブジェクトの有無を判定し、抽出し、色変換部５２は、付加オブジェクトに対する色変換を行う。画像色判定部５４は、画像データの画像色を抽出し、プリントコントローラ２６は、カラー印刷モードと単色印刷モードを切り換える。これにより、ユーザーがモノクロ画像の印刷ジョブを送信したときに、付加オブジェクトが付加されていると、この付加オブジェクトをモノクロ画像に変換することにより、単色印刷モードで印刷処理が行われる。【選択図】        図１  
2005142630.tif 000002
【特許請求の範囲】
【請求項１】
所定のアプリケーションを用いて作成されて画像処理端末から入力されるページレイアウトの画像データ又は描画命令に基づいて画像処理を行う画像処理装置であって、
前記ページレイアウト上に前記アプリケーションによる作成時ないし前記画像処理端末からの出力時に付加された画像である付加オブジェクトが含まれているか否かを判定する判定手段と、
前記判定手段によって付加オブジェクトと判定された画像を所定の設定色に変換する変換手段と、
を含むことを特徴とする画像処理装置。
【請求項２】
前記設定色がＫ色であることを特徴とする請求項１に記載の画像処理装置。
【請求項３】
前記設定色がプロセスカラーのうちの任意の１色であることを特徴とする請求項１に記載の画像処理装置。
【請求項４】
前記設定色がプロセスカラーの内の任意の２色又は３色であることを特徴とする請求項１に記載の画像処理装置。
【請求項５】
前記設定色を前記判定手段によって否定判定された前記オブジェクトの色に設定する設定手段を含むことを特徴とする請求項１に記載の画像処理装置。
【請求項６】
前記判定手段が前記オブジェクトの描画を指示する描画コードに基づいて判定することを特徴とする請求項１から請求項５の何れか１項に記載の画像処理装置。
【請求項７】
前記判定手段が前記オブジェクトの描画位置に基づいて判定することを特徴とする請求項１から請求項５の何れか１項に記載の画像処理装置。
【請求項８】
前記変換手段が前記付加オブジェクトを描画した後に、設定色以外の色成分が０になるように描画することを特徴とする請求項１から請求項７の何れか１項に記載の画像処理装置。
【請求項９】
前記変換手段が、オーバープリントを設定したオブジェクトで上書き描画することを特徴とする請求項８に記載の画像処理装置。
【発明の詳細な説明】
【技術分野】
【０００１】
本発明は、画像データないし描画命令に基づいた画像処理を行う画像処理装置に関する。
【背景技術】
【０００２】
ＤＴＰ（Desktop  Publishing）は、パーソナルコンピュータやワークステーション等の処理装置上で、画像の作成、加工、編集等を行うことによりページレイアウトを作成し、このページレイアウトに基づいて印刷版を露光するためのフィルムの作成を行ったり（ＣＥＰＳ）、印刷版に直接書き込んで印刷用の刷版を作成する（ＣＴＰ：Computer  to  Plate）。
【０００３】
また、ＤＴＰでは、実際の刷版の作成や刷版を用いた印刷に先立って校正を行う時には、ＷＹＳＩＷＹＧ機能を用いて、モニタに表示したページレイアウトをレーザープリンタ等のカラー印刷装置を用いて印刷出力することがある。
【０００４】
一方、ＤＴＰアプリケーションでは、トンボやキャプション等のページレイアウト上の画像に対する情報を自働的に付加することがある。これにより、レーザープリンタ等を用いてページレイアウトに基づいた画像を印刷出力したときに、トンボやキャプションが所定位置に形成される。
【０００５】
ところで、レーザープリンタ等のカラー印刷装置では、Ｃ（シアン）、Ｍ（マゼンタ）、Ｙ（イエロー）、Ｋ（ブラック）の４色を用いてカラー印刷を行うカラー印刷モードに加えて、例えばＫ色のみを用いたモノクロ（単色）印刷モードが設けられている。
【０００６】
これにより、レーザープリンタでは、白黒の印刷データに対しては、単色モードでＫ色のみを用いた印刷処理を行うことにより、カラー印刷行ったときに比べて、印刷出力時間の短縮や印刷に必要な費用の低減を図ることができるようにしている。
【０００７】
また、クライアントコンピュータなどの画像処理端末から入力される画像データ又は描画命令等の印刷データに基づいて印刷処理を行うときに、印刷データにカラー印刷データ（カラー画像）が含まれているか否かを自働的に判定し、判定結果に基づいてカラー印刷モード又は白黒印刷モードに切り換えて印刷処理を行うカラー印刷装置の提案がなされている（例えば、特許文献１参照。）。
【特許文献１】特開２００１−１２１７８８号公報
【発明の開示】
【発明が解決しようとする課題】
【０００８】
しかしながら、画像処理端末でページレイアウト等の作成に用いられるＤＴＰアプリケーションでは、トンボやキャプション等の画像をカラー画像として付加することがある。このため、ユーザーが白黒のページレイアウトを作成しても、レーザープリンタ等を用いて、このページレイアウトを印刷出力しようとしたときに、ユーザーの意図に反してカラー印刷されてしまうことがある。
【０００９】
本発明は上記事実に鑑みてなされたものであり、ユーザが白黒などの単色画像を形成しているときに、アプリケーションがトンボやキャプション等の付加オブジェクトを自働的に付加したときにも、カラー印刷モードで印刷処理されるのを防止した画像処理装置を提案することを目的とする。
【課題を解決するための手段】
【００１０】
上記目的を達成するために本発明は、所定のアプリケーションを用いて作成されて画像処理端末から入力されるページレイアウトの画像データ又は描画命令に基づいて画像処理を行う画像処理装置であって、前記ページレイアウト上に前記アプリケーションによる作成時ないし前記画像処理端末からの出力時に付加された画像である付加オブジェクトが含まれているか否かを判定する判定手段と、前記判定手段によって付加オブジェクトと判定された画像を所定の設定色に変換する変換手段と、を含むことを特徴とする。
【００１１】
この発明によれば、画像処理端末に設けているアプリケーションを用いてユーザーが作成したページレイアウトが入力されることにより、このページレイアウト画像データ又は描画命令に基づいて画像処理を行う。
【００１２】
また、アプリケーションを用いてページレイアウトを作成したときや、このページレイアウトが画像処理端末から出力されるときに、ユーザーが作成していない付加オブジェクトが付加されることがある。
【００１３】
ここから、判定手段は、この付加オブジェクトが含まれているか否かを判定し、付加オブジェクトが含まれているときには、変換手段のよって付加オブジェクトを、Ｃ、Ｍ、Ｙ、Ｋのプロセスカラーの何れかを用いて設定している設定色に変換する。
【００１４】
付加オブジェクトは、Ｃ＝１００％、Ｍ＝１００％、Ｙ＝１００％及びＫ＝１００％のレジストカラーの全色を用いたレジストレーションカラーが用いられていることが多いが、色変換を行うことにより所望の色に変換することができる。
【００１５】
また、この設定色とページレイアウト上の画像の色が一致すれば、Ｃ、Ｍ、Ｙ、Ｋの全色を用いた印刷処理を行う必要がなくなる。すなわち、使用する色を限定した印刷処理が可能となる。
【００１６】
このような本発明においては、前記設定色がＫ色とすることができ、また、前記設定色がプロセスカラーのうちの任意の１色とすることができる。これにより、ユーザーが作成したページレイアウトがＫ色のみを用いたモノクロ画像であれば、モノクロ印刷が可能となり、また、Ｃ、Ｍ、Ｙの単色印刷も可能となる。
【００１７】
また、本発明は、前記設定色がプロセスカラーの内の任意の２色又は３色とすることができ、これにより、２色印刷又は３色印刷を行うときにも、全てのプロセスカラーを使用する必要がなくなる。
【００１８】
このような本発明においては、変換手段によって色変換を行った付加オブジェクトを含むページレイアウトの画像データ又は描画命令に基づいて、Ｃ、Ｍ、Ｙ、Ｋの全色を用いたカラー印刷を行うカラー印刷モードと、設定色に限定した単色印刷モードなどの限定色印刷モードとを切り換える切り換え手段を含むことができる。
【００１９】
一方、本発明では、前記設定色を前記判定手段によって否定判定された前記オブジェクトの色に設定する設定手段を含むことができる。
【００２０】
この発明によれば、付加オブジェクトでないと判定されたオブジェクトに用いられている色を設定色に設定する。これにより、例えば、付加オブジェクト以外の全てのオブジェクトがＫ色であってときに、付加オブジェクトをＫ色に変換し、ページレイアウト上のＫ色の単色画像にすることができる。
【００２１】
また、本発明においては、前記判定手段が前記オブジェクトの描画を指示する描画コードに基づいて判定しても良く、前記判定手段が前記オブジェクトの描画位置に基づいて判定しても良い。
【００２２】
さらに、本発明では、前記変換手段が前記付加オブジェクトを描画した後に、設定色以外の色成分が０になるように描画するものであっても良い。このときには、前記変換手段が、オーバープリントを設定したオブジェクトで上書き描画するものであっても良い。
【発明の効果】
【００２３】
以上説明したように本発明によれば、例えばモノクロでページレイアウトを作成し、このページレイアウトの印刷処理を行ったときに、付加オブジェクトによってカラー印刷モードで印刷されてしまうのを確実に防止し、効率的な印刷処理が可能となるという優れた効果が得られる。
【発明を実施するための最良の形態】
【００２４】
以下に、図面を参照しながら本発明の実施の形態を説明する。図１には、本実施の形態に適用したネットワーク１０の概略構成を示している。このネットワーク１０では、本発明を適用した画像処理装置として設けられているプリントサーバ１２と、画像処理端末として設けられている複数のクライアント端末１４とが、通信回線１６を介してネットワーク接続されている。
【００２５】
また、プリントサーバ１２には、印刷出力装置（ＩＯＴ）としてプリンタ１８が接続されており、プリントサーバ１２は、クライアント端末１４から出力される印刷ジョブを受信すると、この印刷ジョブに応じた画像処理及び印刷出力を実行する。
【００２６】
なお、以下では、画像処理装置としてプリントサーバ１２を例に説明するが、本発明の画像処理装置は、これに限らず、クライアント端末１４とネットワーク接続されたファイルサーバなどの各種の中間サーバに設けて、画像処理を行うものであっても良い。また、本発明の画像処理装置での処理結果は、プリンタ１８に限らず、印刷用の刷版を作成するために画像データに基づいて感光性平版印刷版を直接露光するプレートセッターや、感光性平版印刷版への画像焼付け（露光）に用いるフィルム（原稿フィルム）を露光する露光装置等の各種の出力装置を接続することができる。
【００２７】
プリントサーバ１２及びクライアント端末１４には、ネットワークインターフェイス（ネットワークＩ／Ｆ）２０、２２が設けられており、プリントサーバ１２及びクライアント端末１４は、このネットワークインターフェイス２０、２２を介して通信回線１６に接続している。
【００２８】
また、プリントサーバ１２は、双方向インターフェース（双方向Ｉ／Ｆ）２４を備えており、この双方向Ｉ／Ｆ２４を介してプリンタ１８に接続している。なお、プリントサーバ１２は、複数台のプリンタ１８が接続されたものであっても良い。
【００２９】
このようなプリントサーバ１２は、パーソナルコンピュータ（ＰＣ）に所定機能を備えたＰＣＩボードを追加するなどして構成することができる。また、プリントサーバ１２は、キーボード、マウス等の入力デバイスと共に、ＣＲＴディスプレイや液晶ディスプレイ等の表示デバイスが接続され、表示デバイスに表示した画像に対する処理及び表示画像を印刷出力するＷＹＳＩＷＹＧ機能を備えたものであっても良い。さらに、プリントサーバ１２は、プリンタ１８と一体であっても良く、また、別体であっても良い。
【００３０】
プリントサーバ１２には、プリントサーバ１２自体及びプリンタ１８の作動を制御するプリントコントローラ２６、各種のデータを記憶するＨＤＤ２８及び画像処理部３０が形成されている。画像処理部３０では、クライアント端末１４から印刷ジョブ等のジョブ（以下、印刷ジョブとする）として入力される画像データ又は描画命令などのジョブデータに基づいてラスタデータを生成するＲＩＰ処理を行う。なお、プリントサーバ１２の基本的構成は、従来公知の一般的構成を適用でき、本実施の形態では詳細な説明を省略する。
【００３１】
一方、クライアント端末１４には、ＤＴＰアプリケーション（以下、アプリケーションとする）３２が設けられており、クライアント端末１４では、このアプリケーション３２を用いて、画像や文書の作成、加工、編集等の画像処理や文書作成等を行い、ページレイアウト等の印刷用の印刷データ（画像データや描画命令）の作成が可能となっている。
【００３２】
また、クライアント端末１４には、プリンタドライバ（ドライバソフト）３４が設けられており、クライアント端末１４では、このプリンタドライバ３４を用いて、アプリケーション３２によって作成した印刷データを印刷ジョブとしてプリントサーバ１２へ出力可能となっている。このときに、プリンタドライバ３４を用いることにより、各種の印刷機能等の設定が可能となっている。
【００３３】
プリントサーバ１２には、印刷機能設定部３６が形成されており、プリントサーバ１２では、クライアント端末１４から送信された印刷ジョブを受信すると、印刷ジョブで指定されている各種の印刷機能の設定を行い、設定した印刷機能に基づいて印刷ジョブに応じた印刷出力が得られるようにしている。
【００３４】
ところで、プリントサーバ１２では、プリンタ１８を用いて印刷処理（印刷出力）を行うときに、Ｃ、Ｍ、Ｙ、Ｋの各色を用いてフルカラーで印刷するカラー印刷モードと、例えば、Ｋ色（黒色）等のＣ、Ｍ、Ｙ、Ｋの中の何れか一色を用いた単色印刷等の限定色印刷を行う単色印刷モード（限定色印刷モード）の切り換えが可能となっており、これにより、例えば単色印刷を行うときの処理時間の短縮とコストダウン（印刷経費の節減）が図られるようにしている。
【００３５】
なお、プリントサーバ１２では、Ｃ、Ｍ、Ｙ、Ｋの中又はこれに特色を加えた中から、任意の二色ないし三色を用いた二色刷り、三色刷り等が可能となっている。
【００３６】
一方、クライアント端末１４に設けているアプリケーション３２には、トンボやキャプチャ等の付加オブジェクトを自動的に付加するものがあり、これにより、プリントサーバ１２には、この付加オブジェクトを含む印刷ジョブが送信されることになる。
【００３７】
クライアント端末１４上でアプリケーション３２を用いて作成されたページレイアウトは、図２に示すように、記録紙４０に印刷出力したときに、仕上がり線４２として示す仮想線内に画像や文書等が配置される。すなわち、記録紙４０上の仕上がり線４２の内側が、クライアント端末１４上でアプリケーション３２を用いて画像や文書の作成、加工編集を行うときの作業可能領域となっており、クライアント端末１４上でアプリケーション３２を用いてページレイアウトを作成するユーザーは、仕切り線４２内で画像や文書の作成、加工、編集を行っていることになる。
【００３８】
なお、図２で二点鎖線で示す仕上がり線４２は、通常、記録紙４０上には現れないようになっている。
【００３９】
アプリケーション３２は、作成されたページレイアウト上にトンボやキャプション、色玉等の付加オブジェクトを、仕上がり線４２の外側、すなわち、ユーザーの作業可能領域外に自動的に付加することがある。また、アプリケーション３２やプリンタドライバ３４上でユーザーが指定することにより、カラーパッチやコメント文等を付加オブジェクトとして、ページレイアウト上に自動的に付加されることがある。
【００４０】
これにより、例えば、記録紙４０上には、ユーザーが作成したページレイアウト上の画像や文書等と共に、トンボ４４やキャプション４６等が付加オブジェクト４８として形成される。また、カラーパッチやコメント文の付加が指定されたときには、このカラーパッチやコメント文が付加オブジェクト４８として、記録紙４０の仕上がり線４２外の所定位置に形成される（図示省略）。
【００４１】
図１に示すように、プリントサーバ１２には、付加オブジェクト判定部５０が設けられている。この付加オブジェクト判定部５０は、印刷ジョブにアプリケーション３２が付加オブジェクト４８を付加しているか否かを判定する。また、付加オブジェクト判定部５０では、付加オブジェクト４８が付加されていると判定したときに、その付加オブジェクト４８の抽出を行うようになっている。
【００４２】
また、プリントサーバ１２には、色変換部５２が設けられている。この色変換部５２では、付加オブジェクト判定部５０によって抽出した付加オブジェクト４８を、所定色となるように変換する。
【００４３】
さらに、プリントサーバ１２には、画像色判定部５４が設けられている。この画像色判定部５４では、仕上がり線４２内の画像の色を判定する。すなわち、仕上がり線４２内の画像がＣ、Ｍ、Ｙ、Ｋの全色を用いて形成されたフルカラーの画像であるか、また、Ｋ色（黒色）のみを用いた単色画像であるか等の判定を行う。
【００４４】
なお、プリントサーバ１２では、Ｃ、Ｍ、Ｙ、Ｋの中の任意の２色ないし３色又は特色を用いた２色印刷や３色印刷が可能となっており、このときには、画像色判定部５４では、２色刷り又は３色刷りで使用されている色の判定が可能となるようにしても良い。
【００４５】
ここで、本実施の形態に適用したプリントサーバ１２では、一例として、画像色判定部５４で判定した色を用いて、色変換部５２で付加オブジェクト４８に対する色変換を行うようにしている。
【００４６】
これによりプリントサーバ１２では、例えば印刷ジョブの画像が黒色などの単色画像であったときに、付加オブジェクト４８を同一の単色画像として、単色印刷モードで印刷処理が実行されるようにしている。
【００４７】
以下に、本実施の形態の作用としてカラー画像が形成された印刷ジョブ及びモノクロ画像等の単色画像が形成された印刷ジョブに対する印刷処理を説明する。
【００４８】
プリントサーバ１２では、クライアント端末１４から送信された印刷ジョブを受信すると、先ず、印刷機能の指定を読み込み、この指定に基づいて印刷機能を設定する。この後に、印刷機能の設定に基づいた画像処理及びＲＩＰ処理を施してプリンタ１８へ出力することにより、印刷ジョブの各ページレイアウトに基づいた画像が記録紙４０に形成される。
【００４９】
ところで、ネットワーク１０に設けているクライアント端末１４では、アプリケーション３２を用いて、ページレイアウト等を作成する。このとき、クライアント端末１４上では、アプリケーション３２等がページレイアウトの所定位置にトンボ４４、キャプション４６、色玉等の付加オブジェクト４８を付加することがある。
【００５０】
また、プリントサーバ１２が設けられているネットワーク１０では、クライアント端末１４上で、アプリケーション３２を用いて作成されたページレイアウト等を印刷処理する時に、このページレイアウト等が印刷ジョブとしてプリントサーバ１２に送信される。このとき、カラーチャートやコメント文が指定されることにより、印刷ジョブ内の各ページレイアウト上には、カラーチャートやコメント文が付加オブジェクト４８として付加される。
【００５１】
すなわち、クライアント端末１４から送信されたページレイアウト上には、ユーザーが作成した画像と異なる画像が付加オブジェクト４８として付加されていることがある。
【００５２】
プリントサーバ１２では、プリンタ１８を用いて、カラー印刷モードでの印刷処理と、限定色印刷モードの一つとして単色印刷モードでの印刷処理が可能となっており、プリントサーバ１２では、印刷ジョブの各ページの画像等のオブジェクトがカラーであるか単色であるかを判断し、この判断結果に基づいてカラー印刷モード又は単色印刷モードに切り換えて印刷処理を実行するようにしている。
【００５３】
図３には、このプリントサーバ１２を用いた印刷処理の概略を示している。このフローチャートは、クライアント端末１４から送信された印刷ジョブを受信すると、受信した印刷ジョブのそれぞれに対して順に実行され、最初のステップ１００では、受信した印刷ジョブの画像データに対して所定の処理を施す。また、ステップ１０２では、印刷ジョブの１ページ分の画像処理が終了したか否かを確認する。すなわち、印刷機能の設定等に基づいた画像処理を、１ページづつ全ページに渡って順に行う。
【００５４】
画像処理が終了しステップ１０２で肯定判定されるとステップ１０４へ移行する。このステップ１０４では、仕上がり線４２内に配置されているユーザーの作成した画像の画像色を抽出し、ステップ１０６では、全ての画像色が黒色（モノクロ）の単色画像などの限定色画像であるか否かを判定する。
【００５５】
ここで、ユーザーの作成した画像にカラー画像が含まれているときには、ステップ１０６で否定判定してステップ１０８へ移行し、カラー印刷モードでの印刷処理を実行する。
【００５６】
なお、クライアント端末１４に設けているプリンタドライバ３４では、モノクロなどの単色印刷の設定が可能となっているものがあり、このときには、先ず、単色印刷の指定があるか否かを判定することが好ましい。
【００５７】
一方、モノクロなどの単色画像などの限定色画像であると判定されると、ステップ１０６で肯定判定し、仕上がり線４２の外側にアプリケーション３２やプリンタドライバ（ドライバソフト）３４が付加した付加オブジェクト４８があるか否かを判定する。このとき、ステップ１１０で付加オブジェクト４８の抽出を行い、ステップ１１２で付加オブジェクト４８が抽出されたか否かを確認する。なお、この仕上がり線４２の位置は、クライアント端末１４やプリントサーバ１２上で設定できるものであっても良い。
【００５８】
仕上がり線４２の位置を予め設定するなどして明確としておくことにより、描画データ上での各画像（オブジェクト）の位置が仕上がり線４２の内側となるか外側となるかを明確に判定でき、ここから、仕上がり線４２の外側のオブジェクトを付加オブジェクト４８として判定することができる。
【００５９】
ここで、付加オブジェクト４８が付加されておらず、ステップ１１２で否定判定されたときには、全ての画像が同じ色の単色画像であるので、ステップ１１４へ移行し、単色印刷モード（限定色印刷モード）での印刷処理を実行する。
【００６０】
これに対して、例えば、トンボ４４やキャプション４６などの付加オブジェクト４８が付加されていると判定されるときには、ステップ１１２で肯定判定してステップ１１６へ移行する。
【００６１】
このステップ１１６では、全ての付加オブジェクト４８に対して色変換を施す。このときの変換色は、画像色判定部５４で抽出した画像の色を用いる。これにより、例えば、画像色がクロ色のモノクロ画像であるときには、付加オブジェクト４８も黒色（限定色）となるように色変換を施す。
【００６２】
この後に、ステップ１１４へ移行し、単色印刷モード（限定色印刷モード）での印刷処理を実行する。
【００６３】
一般に、アプリケーション３４等で仕上がり線４２の外側に付加する付加オブジェクト４８は、Ｃ＝１００％、Ｍ＝１００％、Ｙ＝１００％、Ｋ＝１００％のレジストレーションカラーで描画されていることが多い。
【００６４】
このために、付加オブジェクト４８を含むページ全体の画像からカラー印刷モードと単色印刷モードを切り換えると、仕上がり線４２内に配置されている画像がモノクロなどの単色画像であっても、カラー印刷モードで印刷処理されてしまうことになる。
【００６５】
これに対して、プリントサーバ１２では、仕上がり線４２内に配置されている画像の色を判断し、このときの画像がモノクロなどの単色画像であった時には、この画像の色に、付加オブジェクト４８の画像を色を合わせる。
【００６６】
これにより、付加オブジェクト４８が付加されていても、仕上がり線４２内の画像が単色画像であるときには、単色印刷モードでの印刷処理を実行することができる。
【００６７】
したがって、単色画像をカラー印刷モードで印刷処理してしまうことにより、印刷処理に時間がかかってしまうのを防止することができると共に、例えば、モノクロ画像に対してＣ、Ｍ、Ｙ等の指定された色以外の色が使用されてしまうことによる消耗品の不必要な消費を抑えることができる。
【００６８】
一方、以上の説明では、仕上がり線４２の外側となる画像を付加オブジェクト４８として抽出するようにしたが、付加オブジェクト４８の抽出方法はこれに限るものではない。
【００６９】
付加オブジェクト４８は、オブジェクト毎に異なるが、一定パターンの描画コードで描かれることが多い。ここから、付加オブジェクト４８を示す描画コードを予めプリントサーバ１２に登録しておいて、該当する描画パターン（描画コード）があるか否かから付加オブジェクト４８の抽出を行うようにすることができる。
【００７０】
また、前記した如く、付加オブジェクト４８には、Ｃ＝１００％、Ｍ＝１００％、Ｙ＝１００％及びＫ＝１００％のレジストレーションカラーで描画されることが多いので、オブジェクトのカラー値（Ｃ、Ｍ、Ｙ及びＫの値）を参照することにより、そのオブジェクトが付加オブジェクト４８であるか否かの判定を行うことができる。
【００７１】
一方、付加オブジェクト４８がレジストレーションカラーで描画されときに、単色印刷が、例えば、モノクロ印刷に限るときには、図４に示す処理を用いることも可能である。なお、図４では、図３と同等の処理には、図３のステップ番号を用いるか又は併記している。
【００７２】
このフローチャートでは、受信した画像データに対する画像処理を実行する（ステップ１００、１０２）と、ステップ１２０では、付加オブジェクト４８の抽出を行う。また、ステップ１２２では、付加オブジェクト４８を抽出したか否かを確認する。
【００７３】
ここで、付加オブジェクト４８を抽出し、ステップ１２２で肯定判定されるとステップ１２４へ移行する。このステップ１２４では、抽出した付加オブジェクト４８を単色（Ｋ色）に変換する。
【００７４】
このときの色変換は、付加オブジェクト４８に対して、例えば図５（Ａ）に示す描画コードを実行する。これにより、付加オブジェクト４８は、黒色に描画されるように変換される。
【００７５】
すなわち、オーバープリントモードに設定する。この後に、Ｃ＝０.００１、Ｍ＝０.００１、Ｙ＝０.００１、Ｋ＝０のカラー値で、カラー設定を行うと、オーバープリントモードなので、カラー値が０に設定されているＫ色はノックアウトされず、０.００１に設定されているＣ、Ｍ、Ｙの各色は、ノックアウトされて０.００１のカラー値で描画される。このときに、０.００１に対応する色濃度は、最終段のルックアップテーブルで「０」にされてしまう。
【００７６】
したがって、付加オブジェクト４８がＫ色の画像となる。
【００７７】
なお、プリントサーバ１２で、オブジェクト毎にルックアップテーブルを設定できるときには、付加オブジェクト４８の色変換に対して、図５（Ｂ）に示す描画コードを用いることができる。
【００７８】
図４に示すフローチャートの次のステップ１２６では、ページレイアウト上の画像データがモノクロ（白黒）データであるか否かを確認し、モノクロデータでなければ、ステップ１２６で否定判定してステップ１２８へ移行し、カラー印刷モードで印刷処理を実行する。
【００７９】
これに対して、モノクロの画像データであれば、ステップ１２６で肯定判定してステップ１３０へ移行し、単色印刷モード（モノクロ印刷モード）での印刷処理を実行する。
【００８０】
このときに、付加オブジェクト４８をモノクロ画像に変換しているので、ステップ１２６で、モノクロデータであるか否かを的確に判定することができる。また、カラー印刷モードで印刷処理を実行したときにも、付加オブジェクト４８をＫ色で的確に形成することができる。
【００８１】
また、図６及び図７には、限定色として黒色を用いた処理の適用例を示している。これらのフローチャートは、クライアント端末１４から送信されたジョブ（印刷ジョブ）を受信し、この印刷ジョブを処理するときに実行される。
【００８２】
図６に示すフローチャートでは、最初のステップ１４０で１ページ分の画像データから付加オブジェクト４８の抽出を行い、ステップ１４２では、付加オブジェクト４８を抽出したか否かを確認する。
【００８３】
ここで、付加オブジェクト４８を抽出すると、ステップ１４２で肯定判定してステップ１４４へ移行し、抽出した付加オブジェクト４８を限定色として設定している黒色の単色画像に変換する。
【００８４】
すなわち、画像データの処理（描画処理）に先立って付加オブジェクト４８を黒色の単色画像に変換する。このときには、例えば、付加オブジェクト４８に設定されているＣ、Ｍ、Ｙ、Ｋ値を読み込んで、Ｃ、Ｍ、Ｙ値をそれぞれ「０」に設定する。
【００８５】
次のステップ１４６では、受信した画像データに対する画像処理を実行し、ステップ１４８では、ジョブ内の全てのページに対する処理を終了したか否かを確認する。
【００８６】
これにより、画像処理が終了すると、ステップ１４８で肯定判定されてステップ１５０へ移行する。このステップ１５０では、画像データが限定色として設定している白黒データであるか否かを確認し、例えばフルカラーの画像を含む時には、ステップ１５０で否定判定してステップ１５２へ移行し、カラー印刷モードでの印刷処理を実行する。
【００８７】
これに対して、白黒画像であるときには、ステップ１５０で肯定判定してステップ１５４へ移行し、モノクロの単色印刷モードでの印刷処理を実行する。なお、このフローチャートでは、ステップ１５８でジョブの終了を確認して終了する。
【００８８】
また、図７に示すフローチャートでは、付加オブジェクト４８を抽出して、ステップ１４２で肯定判定されると、ステップ１６０へ移行する。
【００８９】
このステップ１６０では、抽出した付加オブジェクト４８に、オーバープリントオブジェクト（付加オブジェクト４８と同じ画像）を描画する。このときのオブジェクトは、黒（Ｋ）以外の色（Ｃ、Ｍ、Ｙ）が「０」とする。
【００９０】
これにより、付加オブジェクト４８を、Ｋ色だけを残して描画することができ、これにより、他の画像が白黒画像（白黒データ）であれば、ステップ１５０で肯定判定され、白黒印刷モードでの印刷処理が実行される（ステップ１５４）。
【００９１】
なお、以上説明した本実施の形態は、本発明の構成を限定するものではない。例えば、本実施の形態では、主にＫ色によって画像を形成するモノクロ印刷を例に説明したが、本発明は、これに限定するものではない。
【００９２】
例えば、仕上がり線４２内の画像が、Ｃ、Ｍ、Ｙの何れかの単色であっても良い。このときには、その色を判定し、付加オブジェクト４８の色に設定すればよい。
【００９３】
また、仕上がり線４２内の画像を二色刷り又は三色刷りで形成されていても良い。このときには、その色の何れか一方又は合成色を用いて付加オブジェクト４８を描画するように設定すればよい。
【００９４】
さらに、本発明は、ネットワーク１０に設けたプリントサーバ１２に限らず、任意の構成の画像処理装置に適用することができる。
【図面の簡単な説明】
【００９５】
【図１】本実施の形態に適用したプリントサーバ及びプリントサーバが設けられるネットワークの概略構成図である。
【図２】画像を形成した記録紙の一例を示す概略図である。
【図３】プリントサーバでの画像処理の一例を示す流れ図である。
【図４】プリントサーバでの画像処理の他の一例を示す流れ図である。
【図５】（Ａ）及び（Ｂ）はオーバープリントを用いて付加オブジェクトの色変換を行う描画コードの一例を示す概略図である。
【図６】プリントサーバでの画像処理の他の一例を示す流れ図である。
【図７】プリントサーバでの画像処理の他の一例を示す流れ図である。
【符号の説明】
【００９６】
１０    ネットワーク
１２    プリントサーバ（画像処理装置）
１４    クライアント端末
１８    プリンタ
２６    プリントコントローラ
３０    画像処理部
３２    アプリケーション
３４    プリンタドライバ
４０    記録紙
４２    仕上がり線
４４    トンボ
４６    キャプション
４８    付加オブジェクト
５０    付加オブジェクト判定部（判定手段）
５２    色変換部（変換手段）
５４    画像色判定部（設定手段）
【図１】
2005142630.tif 000003
【図２】
2005142630.tif 000004
【図３】
2005142630.tif 000005
【図４】
2005142630.tif 000006
【図５】
2005142630.tif 000007
【図６】
2005142630.tif 000008
【図７】
2005142630.tif 000009